(57)【要約】【課題】遊技者の離席を自動で検知することにより機会損失を防止する。【解決手段】離着席検知システム１０Ａを、遊技台の周辺に配置された周辺機３と、周辺機３に設けられ、椅子の方向に赤外線を照射する赤外線センサ１と、赤外線センサ１の温度情報に基づき、人の存在の有無を検出する人検出処理部３１と、赤外線センサ１の温度情報に基づき、椅子の存在の有無を検出する椅子検出処理部３２と、人検出処理部３１及び椅子検出処理部３２の検出結果を受け、遊技台の周囲の状態を判定する状態判定処理部３３と、により構成した。【選択図】図１
2018000425.tif 000002
【特許請求の範囲】
【請求項１】
離着席検知システムであって、
遊技台の周辺に配置された周辺機と、
前記周辺機に設けられ、椅子の方向に赤外線を照射する赤外線センサと、
前記赤外線センサの温度情報に基づき、人の存在の有無を検出する人検出処理部と、
前記赤外線センサの温度情報に基づき、前記椅子の存在の有無を検出する椅子検出処理部と、
前記人検出処理部及び前記椅子検出処理部の検出結果を受け、前記遊技台の周囲の状態を判定する状態判定処理部と、を備えることを特徴とする離着席検知システム。
【請求項２】
前記人検出処理部が、
前記赤外線センサから対象物の温度情報を取得する温度情報取得部と、
前記温度情報取得部が取得した温度情報とあらかじめ設定した閾値情報とを比較する比較部と、
前記比較部が閾値情報よりも温度情報のほうが高いと判断した第１エリアをカウントするエリアカウント部と、を備え、
前記エリアカウント部がカウントした前記第１エリアの大小によって前記対象物について人の存在の有無を判断することを特徴とする請求項１に記載の離着席検知システム。
【請求項３】
前記第１エリアが一定値以下の場合に人が離席していると判断することを特徴とする請求項２に記載の離着席検知システム。
【請求項４】
前記椅子検出処理部が、
前記赤外線センサから対象物の温度情報を取得する温度情報取得部と、
前記温度情報取得部が取得した温度情報とあらかじめ設定した閾値情報とを比較する比較部と、
前記比較部が閾値情報よりも温度情報のほうが低いと判断した、腰部に対応する第２エリアをカウントするエリアカウント部と、を備え、
前記エリアカウント部がカウントした前記第２エリアの大小によって前記対象物について椅子の存在の有無を判断することを特徴とする請求項１又は２に記載の離着席検知システム。
【請求項５】
前記第２エリアが一定値以上の場合に人が離席していると判断することを特徴とする請求項４に記載の離着席検知システム。
【発明の詳細な説明】
【技術分野】
【０００１】
本発明は、離着席検知システムに関する。
【背景技術】
【０００２】
ゲーム、パチンコ、スロット等の遊技場において、遊技者は、備え付けの椅子に座って遊技を行うことが殆どである。この場合、遊技者が遊技台（席）を離席しているか否かの確認は、ホール店員の巡回により、あるいは監視カメラによる目視で実施され、遊技者が一定時間内に戻らない場合は、席待ちの他の遊技者にその席を解放している。
【０００３】
遊技場における遊技者の離着席検知に関する技術は従来から多数提案されている。例えば、特許文献１に、特別遊技の終了後、遊技者が遊技用記録媒体を収納手段に残したまま離席するのを防止する遊技機が記載されている。
【先行技術文献】
【特許文献】
【０００４】
【特許文献１】特開２０１５−０８３０４３号公報
【発明の概要】
【発明が解決しようとする課題】
【０００５】
特許文献１に記載された技術によれば、特別遊技のエンディング後半に、遊技用記録媒体（カード）の取り忘れに対して注意を喚起する画像が表示される。しかしながらこの場合、遊技者が実際に離席しているか否かに関係なく表示されるため現実的でない。
【０００６】
上記したように、遊技者が遊技台を離席しているか否かの確認は、通常、ホール店員の巡回確認、あるいは監視カメラによる目視で行っている。したがってロスが発生し、その結果、遊技台の稼働率低下につながる。
【０００７】
本発明は上記した課題を解決するためになされたものであり、遊技者の離席を自動で検知することにより機会損失を防止する離着席検知システムを提供することを目的とする。
【課題を解決するための手段】
【０００８】
上記した課題を解決するために、本発明は、離着席検知システムであって、遊技台の周辺に配置された周辺機と、前記周辺機に設けられ、椅子の方向に赤外線を照射する赤外線センサと、前記赤外線センサの温度情報に基づき、人の存在の有無を検出する人検出処理部と、前記赤外線センサの温度情報に基づき、前記椅子の存在の有無を検出する椅子検出処理部と、前記人検出処理部及び前記椅子検出処理部の検出結果を受け、前記遊技台の周囲の状態を判定する状態判定処理部と、を備えることを特徴とする。
【０００９】
本発明において、前記人検出処理部が、前記赤外線センサから対象物の温度情報を取得する温度情報取得部と、前記温度情報取得部が取得した温度情報とあらかじめ設定した閾値情報とを比較する比較部と、前記比較部が閾値情報よりも温度情報のほうが高いと判断した第１エリアをカウントするエリアカウント部と、を備え、前記エリアカウント部がカウントした前記第１エリアの大小によって前記対象物について人の存在の有無を判断することを特徴とする。
【００１０】
本発明において、前記第１エリアが一定値以下の場合に人が離席していると判断することを特徴とする。
【００１１】
本発明において、前記椅子検出処理部が、前記赤外線センサから対象物の温度情報を取得する温度情報取得部と、前記温度情報取得部が取得した温度情報とあらかじめ設定した閾値情報とを比較する比較部と、前記比較部が閾値情報よりも温度情報のほうが低いと判断した、腰部に対応する第２エリアをカウントするエリアカウント部と、を備え、前記エリアカウント部がカウントした前記第２エリアの大小によって前記対象物について椅子の存在の有無を判断することを特徴とする。
【００１２】
本発明において、前記第２エリアが一定値以上の場合に人が離席していると判断することを特徴とする。
【発明の効果】
【００１３】
本発明によれば、遊技者の離席を自動で検知することにより機会損失を防止する離着席検知システムを提供することができる。
【図面の簡単な説明】
【００１４】
【図１】本発明の第１実施形態に係る離着席検知システムの構成を示すブロック図である。
【図２】図１の基本動作を示すフローチャートである。
【図３】図２の人検出処理の詳細手順を示すフローチャートである。
【図４】図２の椅子検出処理の詳細手順を示すフローチャートである。
【図５】図２の状態判定処理の詳細手順を示すフローチャートである。
【図６】図２の通知処理の詳細手順を示すフローチャートである。
【図７】人あるいは椅子の存在確認に必要なエリアの一例を示す図である。
【図８】本発明の第２実施形態に係る離着席検知システムの構成を示すブロック図である。
【発明を実施するための形態】
【００１５】
（実施形態の構成）
以下、本発明の実施の形態（以下、単に実施形態という）に係る離着席検知システムについて図面を参照しながら詳細に説明する。なお実施形態の説明の全体を通して同じ要素には同じ番号または符号を付している。
【００１６】
（第１実施形態の構成）
図１に示すように、第１実施形態に係る離着席検知システム１０Ａは、遊技者が座る椅子の方向に赤外線を照射する赤外線センサ１と、遊技台の周辺に配置される周辺機として使用される台間機３とにより構成される。赤外線センサ１は、受光した赤外領域の光（赤外線）を電気信号に変換して必要な情報を取り出すセンサであり、対象（遊技者や椅子）の温度を非接触で瞬時に測定するもので、以下に説明する第１実施形態では、台間機３に実装されるものとする。
【００１７】
台間機３には、遊技カード２、液晶４、スピーカ５、そして、図示省略したホールサーバとの間で情報交換するＬＡＮ６（Local  Area  Network）等が接続される。台間機３は、処理部３０と、入力部３６と、出力部３７とを含み、入力部３６に、赤外線センサ１，遊技カード２、ＬＡＮ６が接続され、出力部３７に、液晶４、スピーカ５、ＬＡＮ６が接続される。
【００１８】
処理部３０は、赤外線センサ１からの温度情報に基づき、人の存在と椅子の存在の有無を検出し、その検出結果を受けて遊技台の周囲の状態を判定する。このため、処理部３０は、人検出処理部３１と、椅子検出処理部３２と、状態判定処理部３３と、通知処理部３４と、状態記憶部３５と、を含み構成される。
【００１９】
人検出処理部３１は、赤外線センサ１から検出対象である人の温度情報を取得し、取得した温度情報とあらかじめ設定した閾値情報とを比較し、閾値情報よりも温度情報のほうが高い又は低いと判断した第１エリアの大きさをカウントし、検出対象である人の有無を検出して状態判定処理部３３へ引き渡す。なお、第１エリアとは、例えば、図７（ｂ）に示す椅子廻りＡの範囲をいう。
【００２０】
このため、人検出処理部３１は、温度情報取得部３１１と、比較部３１２と、エリアカウント部３１３と、対象有無判定部３１４と、を含み構成される。
【００２１】
温度情報取得部３１１は、赤外線センサ１から対象物の温度情報を取得して比較部３１２へ出力する。比較部３１２は、温度情報取得部３１１が取得した温度情報とあらかじめ設定した閾値情報とを比較してエリアカウント部３１３を制御する。エリアカウント部３１３は、比較部３１２が閾値情報よりも温度情報のほうが高いと判断した第１エリアをカウントして対象有無判定部３１４へ出力する。対象有無判定部３１４は、エリアカウント部３１３がカウントした第１エリアの大小によって対象物について人の存在の有無を判断する。
【００２２】
椅子検出処理部３２は、赤外線センサ１から対象物の温度情報を取得し、取得した温度情報とあらかじめ設定した閾値情報とを比較し、閾値情報よりも温度情報のほうが低いと判断した、第２エリアをカウントし、検出対象である椅子の存在の有無を判定して状態判定処理部３３へ引き渡す。なお、第２エリアとは、例えば、図７（ｃ）に示すように遊技者が椅子に座った場合に余熱の影響を受けない腰部に対応する椅子の範囲Ｂをいう。
【００２３】
このため、椅子検出処理部３２は、温度情報取得部３２１と、比較部３２２と、エリアカウント部３２３と、対象有無判定部３２４と、を含み構成される。
【００２４】
温度情報取得部３２１は、赤外線センサ１から対象物の温度情報を取得して比較部３２２へ引き渡す。比較部３２２は、温度情報取得部３２１が取得した温度情報とあらかじめ設定した閾値情報とを比較し、その結果によりエリアカウント部３２３によるエリアカウントを制御する。エリアカウント部３２３は、比較部３２２が閾値情報よりも温度情報のほうが低いと判断した、腰部に対応する第２エリアをカウントして対象有無判定部３２４へ引き渡す。対象有無判定部３２４は、エリアカウント部３２３がカウントした第２エリアの大小によって対象物について椅子の存在の有無を判断する。
【００２５】
状態判定処理部３３は、人検出処理部３１が検出した人の存在の有無と、椅子検出処理部３２が検出した椅子の存在の有無との組み合わせにより、遊技者が、遊技中か、離席中か、通行人や見物人の有無も判定することができる、その判定結果（後述するＡ，Ｂ，Ｃ，Ｄ）を状態情報として状態記憶部３５に逐次保持する。
【００２６】
通知処理部３４は、状態記憶部３５に保持された状態情報の遷移を監視することにより、出力部３７、そして、液晶４、スピーカ５、ＬＡＮ６等の周辺デバイスを介し、例えば、離席者へのカードの置き忘れ、遊技台の空状況等をアナウンスする。
【００２７】
（第１実施形態の動作）
以下、図２以降に示すフローチャートを参照しながら本発明の第１実施形態に係る離着席検知システム１０Ａの動作について詳細に説明する。
【００２８】
まず、台間機３（処理部３０）は、人検出処理部３１、椅子検出処理部３２が、椅子の方向に赤外線を照射する赤外線センサ１からそれぞれ温度情報を取り込む（ステップＳ１０）。続いて、人検出処理部３１が、取り込んだ赤外線センサ１の温度情報に基づき人の存在の有無を検出し、椅子検出処理部３２が、椅子の存在の有無を検出し、それぞれ状態判定処理部３３に引き渡す（ステップＳ２０，Ｓ３０）。人の存在の有無の検出については、図３のフローチャート、椅子の検出の有無については、図４のフローチャートを参照して説明する。
【００２９】
図３のフローチャートを参照して人検出処理部３１による人検出処理から説明する。人検出処理部３１は、温度情報取得部３１１が、赤外線センサ１から対象物の温度情報を取得すると（ステップＳ２０１）、比較部３１２が、その温度情報とあらかじめ設定した閾値情報とを比較する（ステップＳ２０２）。比較部３１２による比較の結果、閾値情報よりも温度情報のほうが高いと判定されると（ステップＳ２０２“ＹＥＳ”）、エリアカウント部３１３が第１エリアの、例えば、面積をカウントし、結果を対象有無判定部３１４へ引き渡す（ステップＳ２０３）。閾値未満の場合（ステップＳ２０２“ＮＯ”）は、人がいないと判定して状態判定処理部３３へ引き渡す（ステップＳ２０６）
【００３０】
対象有無判定部３１４は、エリアカウント部３１３がカウントした第１エリアの面積が一定値以上の場合（ステップＳ２０４“ＹＥＳ”）、人が存在すると判定し（ステップＳ２０５）、一定値未満の場合（ステップＳ２０４“ＮＯ”）、人がいないと判定して状態判定処理部３３へ引き渡す（ステップＳ２０６）。
【００３１】
次に、図４のフローチャートを参照して椅子検出処理部３２による椅子検出処理について説明する。椅子検出処理部３２は、温度情報取得部３２１が、赤外線センサ１から対象物である椅子の温度情報を取得すると（ステップＳ３０１）、比較部３２２が、その温度情報とあらかじめ設定した閾値情報とを比較する（ステップＳ３０２）。比較部３２２による比較の結果、閾値情報よりも温度情報のほうが低い（閾値未満）と判定されると（ステップＳ３０２“ＹＥＳ”）、エリアカウント部３２３が腰部に対応する第２エリアの、例えば、面積をカウントし、結果を対象有無判定部３２４へ引き渡す（ステップＳ３０３）。閾値以上の場合は（ステップＳ３０２“ＮＯ”）、椅子が存在しないと判定して状態判定処理部３３へ引き渡す（ステップＳ３０６）
【００３２】
対象有無判定部３２４は、エリアカウント部３２３がカウントした第２エリアの面積が一定値以上の場合（ステップＳ３０４“ＹＥＳ”）、椅子が存在すると判定し（ステップＳ３０５）、一定値未満の場合（ステップＳ３０４“ＮＯ”）、椅子が存在しないと判定して状態判定処理部３３へ引き渡す（ステップＳ３０６）。
【００３３】
ここで、図２のフローチャートの説明に戻る。状態判定処理部３３は、人検出処理部３１、及び椅子検出処理部３２の検出結果を受け、遊技台の周囲の状態を判定する状態判定処理を実行する。状態判定処理は、図５のフローチャートにその詳細手順が示されている。
【００３４】
図５に示すように、状態判定処理部３３は、人検出処理部３１、椅子検出処理部３２が、共に対象の存在を検知しない「状態Ａ」の場合（ステップＳ４０１“ＹＥＳ”）、設置条件が変更になった場合等、異常状態であると判定する（ステップＳ４０２）。又、状態判定処理部３３は、人検出処理部３１が人の存在を検知せず、椅子検出処理部３２が椅子の存在を検知した「状態Ｂ」の場合（ステップＳ４０３“ＹＥＳ”）、遊技者は離席中であると判定する（ステップＳ４０４）。
【００３５】
一方、状態判定処理部３３は、人検出処理部３１、椅子検出処理部３２共に対象の存在を検知した「状態Ｃ」の場合（ステップＳ４０５“ＹＥＳ”）、椅子の後ろに通行人や見物人がいると判定する（ステップＳ４０６）。又、状態判定処理部３３は、人検出処理部３１が人の存在を検知し、椅子検出処理部３２が椅子の存在を検知しなかった場合（ステップＳ４０７“ＹＥＳ”）、その人は遊技中であると判定する（ステップＳ４０８）。
【００３６】
状態判定処理部３３による判定結果（状態Ａ，Ｂ，Ｃ，Ｄ）は、都度、状態記憶部３５に保持、更新され（ステップＳ４０９）、通知処理部３４に制御を移す。
【００３７】
ここで、図２のフローチャートの説明に戻る。通知処理部３４は、状態記憶部３５に保持された状態情報の遷移を監視することにより、出力部３７、液晶４、スピーカ５、ＬＡＮ６等の周辺デバイスを制御して、例えば、離席者へのカードの置き忘れ、遊技台の空状況等をアナウンスする通知処理を実行する。通知処理は、図６のフローチャートにその詳細手順が示されている。
【００３８】
図６に示すように、通知処理部３４は、状態判定処理部３３による判定結果が「状態Ｄ」から「状態Ｂ」、あるいは「状態Ｄ」から「状態Ｃ」に遷移した場合（ステップＳ５０１“ＹＥＳ”）、例えば、液晶４に表示することにより遊技中に行われるサービスを中断してホール店員に席が空いたことを通知するか、カード忘れがあれば、スピーカ５等により離席者にその旨を報知する（ステップＳ５０２）。又、「状態Ｄ」に遷移すると（ステップＳ５０３“ＹＥＳ”）、例えば、液晶４に画面表示することによる遊技中に行われるサービスを開始する（ステップＳ５０４）。
【００３９】
一方、通知処理部３４は、状態判定処理部３３による判定結果である「状態Ｃ」が継続する場合（ステップＳ５０５“ＹＥＳ”）、スピーカ５を駆動するか、液晶４等によりホールユーザに遊技を促す宣伝を行う（ステップＳ５０６）。又、「状態Ａ」が継続する場合は（ステップＳ５０７“ＹＥＳ”）、異常状態のため、図７（ａ）（ｂ）に示すエリアの範囲設定等のための初期化処理や、温度閾値設定等の最適化処理等の実行を促す（ステップＳ５０７）。
【００４０】
（第１実施形態の効果）
第１実施形態に係る離着席検知システム１０Ａによれば、台間機３に実装された赤外線センサ１により対象物の温度を測定して閾値との差分により遊技者の存在を自動検知する仕組みを提供することにより、ホール側では、遊技者の離席及び着席を把握することができる。又、同様に椅子の存在も検知することで、着座している人が遊技者か、あるいは通行人か見物人かも区別することができる。このため、ホール店員の巡回や目視によらず遊技者の監視ができ、又、空き遊技台の管理も可能になることから機会損失を防止することが出来、遊技台の稼働率の低下を回避することができる。さらに、カードの置き忘れ等に対するアナウンスにより離席者に対する注意喚起も可能である。また、遊技者が着座しているときにのみ液晶画面に情報表示サービスを行う等により省電力化にも寄与すことができる。
【００４１】
なお、第1実施形態では人検出処理において、対象物の温度情報と閾値情報とを比較し、温度情報のほうが高いと判定した場合に、エリアカウント部がカウントする、としたが、真冬の場合は対象物の温度情報のほうが低い可能性もある為、温度情報と閾値情報との差が一定以上ある場合に、エリアカウント部がカウントしてもよい。
【００４２】
（第２実施形態の構成及び動作）
次に第２実施形態に係る離着席検知システム１０Ｂについて図８を用いて説明する。第１実施形態によれば、赤外線センサ１を周辺機としての台間機３に設けて離着席検知を行う例について説明したが、赤外線センサ１を、台間機３ではなく、図８に示すように遊技機７の上方に配置され、大当たり回数や大当たり履歴を表示する、周辺機としての表示部８に設けてもよい。この構成を第２実施形態として以下に説明する。
【００４３】
第２実施形態に係る離着席検知システム１０Ｂによれば、遊技機７の処理部７０（人検出処理部７１、椅子検出処理部７２、状態判定処理部７３、通知処理部７４）が、赤外線センサ１の温度情報に基づき、人の存在と椅子の存在の有無を検出し、その検出結果を受けて遊技機７の周囲の状態を判定し、出力部７６を介して、図示省略した液晶、スピーカ、ＬＡＮ等の周辺デバイスにアナウンスする。赤外線センサ１の実装箇所を除けば第１実施形態と同様であるため、その構成、動作についての詳細は重複説明を回避する意味で省略する。
【００４４】
第２実施形態に係る離着席検知システム１０Ｂによれば、遊技機７の上部に設置された表示部８に実装された赤外線センサ１により遊技者を自動検知する仕組みを提供することにより、第１実施形態同様、ホール側では、遊技者の離席及び着席を把握することができる。又、同様に椅子の存在も検知することで、着座している人が遊技者か、あるいは通行人か見物人かも区別することができる。このため、ホール店員の巡回や目視によらず遊技者の監視ができ、又、空き遊技台の管理も可能になることから機会損失を防止することが出来、遊技台の稼働率の低下を回避することができる。
【００４５】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４６】
１…赤外線センサ、２…遊技カード、３…台間機、４…液晶、５…スピーカ、６…ＬＡＮ、７…遊技機、８…表示部、１０Ａ，１０Ｂ…離着席検知システム、３０…処理部、３１…人検出処理部、３２…椅子検出処理部、３３…状態判定処理部、３４…通知処理部、３５…状態記憶部、３６…入力部、３７…出力部、３１１，３２１…温度情報取得部、３１２，３２２…比較部、３１３（３２３）…エリアカウント部、３１４，３２４…対象有無判定部
【図１】
2018000425.tif 000003
【図２】
2018000425.tif 000004
【図３】
2018000425.tif 000005
【図４】
2018000425.tif 000006
【図５】
2018000425.tif 000007
【図６】
2018000425.tif 000008
【図７】
2018000425.tif 000009
【図８】
2018000425.tif 000010